(57)【特許請求の範囲】
【請求項１】
半径方向に延びて内周面に開口し前後方向に並ぶ複数のドライバピン孔を有する円筒形のシリンダケースと、
外周面が前記シリンダケースの内周面に摺接するようにシリンダケース内に回転可能に挿入され、前端に開口して軸線方向に延びる鍵孔と、後端に開口して鍵孔に連通するように軸心上を延びる保持ピン孔と、前記ドライバピン孔に対応する位置において外周面から鍵孔に貫通する複数のコードピン孔とを具備するプラグと、
前記ドライバピン孔内に移動自在に挿入され、前記シリンダケースの内周面の方向に付勢されるドライバピンと、
前記コードピン孔のうち最後方に配置される後端コードピン孔内に移動自在に挿入される第１及び第２の２つのチェンジピンと、
その他の前記コードピン孔内に移動自在に挿入されるコードピンと、
前記保持ピン孔内に後方から押し込まれた常時位置と後方へ押し出された非常時位置との間を軸線方向に移動自在に挿入され、常時位置において前記第１、第２のチェンジピンを、相互の接触面が前記プラグの外周面に一致する元位置に保持し、非常時位置において第２のチェンジピンが前記鍵孔内へ突出する突出位置に移動するのを許容する保持ピンと、を具備する錠前ユニットと、
前記鍵孔への挿入時に、前記コードピンとドライバピンとの接触面を前記プラグの外周面に一致させるピン操作部を具備し、先端が前記保持ピンに達しない長さを有する常用キーと、
前記鍵孔への挿入時に常時位置にある前記保持ピンを非常時位置へ押し出す長さを有し、保持ピン押し出し後に継続して前記第１、第２のチェンジピンを元位置に保持し鍵孔からの抜き取り後に第２のチェンジピンの突出位置への移動を許容するピン保持部と、前記コードピンとドライバピンとの接触面を前記プラグの外周面に一致させるピン操作部と、を具備する非常用キーと、
前記非常用キーにて解錠後に前記鍵孔へ挿入された時に突出位置にある前記第２のチェンジピンを元位置へ復帰させる復帰操作部を有する復帰用キーと、
前記復帰用キーが前記鍵孔に挿入された状態において、前記保持ピン孔へ挿入された時、復帰用キーを鍵孔から押し出しつつ、前記保持ピンを常時位置に押し込むことにより、前記第１，第２のチェンジピンを元位置に保持するリセットピンと、を具備することを特徴とする自動販売機用錠装置。
【発明の詳細な説明】
【技術分野】
【０００１】
この発明は、震災などの大規模災害が発生して地域のライフラインが停止したような場合に、飲料、食品の供給源として対応でき、復旧時には迅速に通常の使用形態に戻すことができる災害対応に優れた自動販売機用の錠装置に関する。
【背景技術】
【０００２】
大規模な災害が発生して電気、ガス、水道などのライフラインが停止するような非常時には、自動販売機内に収納された飲料、食料を被災者に提供することが考えられる。しかし、停電時に自動販売機に金銭を投入しても商品を購入することはできないし、扉を開放する場合には鍵が必要となる。このため、自動販売機内に収納された飲料、食料を被災者に速やかに提供することができないという問題点がある。
そこで、非常時に、外扉に設けられた商品サンプル室や広告表示部など、合成樹脂製のパネルによって閉鎖された開口部を介して外部から操作可能な非常用規制解除部材を備えた自動販売機が提案されている。この非常用規制解除部材は、錠を操作することなく、直接、扉係止部材に係合するスライド板を離脱方向へ移動操作することにより、外扉の開放を可能とするものである（例えば特許文献1参照）。
【先行技術文献】
【特許文献】
【０００３】
【特許文献１】特開２００８−００３８４５号公報
【発明の概要】
【発明が解決しようとする課題】
【０００４】
上記従来の非常用規制解除部材を備えた自動販売機においては、鍵を使用しなくても開扉できるから、構造を知るものであれば、無権原者が、いつでも開口部から非常用規制解除部材を操作して扉を開放することができるという問題点がある。また、このような非常用規制解除部材を備えない既存の自動販売機については、後から構造変更して非常解錠可能とすることは困難である。
したがって、この出願に係る発明は、非常時に通常操作キーがなくても解錠が可能であるが、無権原者による不正解錠は防止することができ、また錠前の取り替えのみで、他に改造を必要とせずに既存の自動販売機を非常時解錠型に変更できる自動販売機用錠装置を提供することを目的としている。
【課題を解決するための手段】
【０００５】
以下、添付図面の符号を参照して説明するが、本発明はこれに限定されるものではない。
上記課題を解決するための、この出願に係る発明の自動販売機用錠装置は、シリンダケース１とプラグ２とを含む錠前ユニット３と、この錠前ユニット３を操作する常用、非常用、復帰用の３種のキー４，５，６及びリセットピン７とを具備する。シリンダケース１は円筒形で、複数のドライバピン孔１ａを有する。ドライバピン孔１ａは、前後方向に並んで設けられ、シリンダケース１の半径方向に延び、内周面に開口する。プラグ２は、外周面がシリンダケース１の内周面に摺接するようにシリンダケース１内に回転可能に挿入され、鍵孔２ａ、保持ピン孔２ｂ及び複数のコードピン孔２ｃ，２ｄを有する。鍵孔２ａは、プラグ２の前端に開口して軸線方向に延びる。保持ピン孔２ｂは、プラグ２の後端に開口して鍵孔２ａに連通するようにプラグ２の軸心上を延びる。コードピン孔２ｃ，２ｄは、ドライバピン孔１ａに対応する位置においてプラグ２の外周面から鍵孔２ａに貫通する。ドライバピン孔１ａ内にドライバピン８が移動自在に挿入され、シリンダケース１の内周面の方向に付勢される。コードピン孔のうち最後方に配置される後端コードピン孔２ｄ内に第１及び第２の２つのチェンジピン１０，１１が移動自在に挿入される。その他のコードピン孔２ｃ内にコードピン１２が移動自在に挿入される。保持ピン孔２ｂ内に保持ピン１３が移動自在に挿入される。保持ピン１３は、後方から保持ピン孔２ｂ内へ押し込まれた常時位置と、後方へ押し出された非常時位置との間を軸線方向に移動自在であり、常時位置において第１、第２のチェンジピン１０，１１を、相互の接触面がプラグ２の外周面に一致する元位置に保持し、非常時位置において第２のチェンジピン１１が鍵孔２ａ内へ突出する突出位置に移動するのを許容する。常用キー４は、鍵孔２ａへの挿入時に、コードピン１２とドライバピン８との接触面をプラグ２の外周面に一致させるピン操作部４ａを具備し、先端が保持ピン１３に達しない長さを有する。非常用キー５は、鍵孔２ａへの挿入時に、常時位置にある保持ピン１３を非常時位置へ押し出す長さを有し、ピン保持部５ｂと、ピン操作部５ａとを具備する。ピン保持部５ｂは、非常用キー挿入時に、保持ピン１３が押し出された後、継続して第１、第２のチェンジピン１０，１１を元位置に保持するが、キー抜き取り後は、第２のチェンジピン１１が鍵孔２ａへ突出するのを許容する。ピン操作部５ａは、非常キー挿入時に、コードピン１２とドライバピン８との接触面をプラグ２の外周面に一致させる。復帰用キー６は復帰操作部６ａを有する。非常用キー５にて解錠後に、復帰用キー６が鍵孔２ａへ挿入された時、復帰操作部６ａは、突出位置にある第２のチェンジピン１１を元位置へ復帰させる。リセットピン７は、復帰用キー６が鍵孔２ａに挿入された状態において保持ピン孔２ｂへ挿入された時、復帰用キー６を鍵孔２ａから押し出しつつ、保持ピン１３を常時位置に押し込むことにより、第１，第２のチェンジピン１０，１１を元位置に保持する。
【発明の効果】
【０００６】
この出願に係る発明の自動販売機用錠装置によれば、自動販売機の設置場所の近隣に常駐する管理者が所持する非常用キー５を用いて、特定の自動販売機について１回限り扉を解錠、施錠することができ、いったん非常解錠した後は、常用キー４での施解錠操作は可能であるが、当該非常用キー５では施解錠操作が不可能となり、再度の非常解錠を可能とするためには、オペレータによる復帰キー６とリセットピン７を用いたリセット操作が必要となる。このため、錠装置の保安性を維持したまま、非常時の使い勝手を向上させることができる。錠前の取り替えのみで、他に改造を必要とせずに既存の自動販売機を非常時解錠型に容易に変更できる。
【図面の簡単な説明】
【０００７】
【図１】常用キーを挿入した状態の錠装置の断面図である。
【図２】非常用キーを挿入した状態の錠装置の断面図である。
【図３】非常用キーで解錠後に抜き取る状態の錠装置の断面図である。
【図４】復帰キーを挿入した状態の錠装置の断面図である。
【図５】復帰キーとリセットピンを挿入した状態の錠装置の断面図である。
【発明を実施するための形態】
【０００８】
図面を参照してこの発明の実施の形態を説明する。
自動販売機用錠装置は、シリンダケース１とプラグ２とを含む錠前ユニット３と、この錠前ユニットを操作する常用、非常用、復帰用の３種のキー４，５，６及びリセットピン７とを具備する。
【０００９】
シリンダケース１は概略円筒形で、複数のドライバピン孔１ａを有する。ドライバピン孔１ａは、前後（図において左右）方向に並んで設けられ、シリンダケース１の半径方向に延び、内周面に開口する。図にはドライバピン孔１ａを１列だけ示したが、実際には複数列設けられる。
【００１０】
プラグ２は、外周面がシリンダケース１の内周面に摺接するようにシリンダケース１内に軸周り回転可能に挿入され、後部がシリンダケース１の後方へ延出している。
【００１１】
プラグ２は、鍵孔２ａ、保持ピン孔２ｂ及び複数のコードピン孔２ｃ，２ｄを有する。鍵孔２ａは、プラグ２の前端に開口して軸線方向に延びる。保持ピン孔２ｂは、プラグ２の後端に開口して鍵孔２ａに連通するようにプラグの軸心上を延びる。コードピン孔２ｃ，２ｄは、ドライバピン孔１ａに対応する位置において、プラグ２の外周面から半径方向に延びて鍵孔２ａに貫通する。
【００１２】
ドライバピン孔１ａ内には、ドライバピン８が移動自在に挿入され、ばね９でシリンダケース１の内周面の方向に付勢される。コードピン孔のうち最後方に配置される後端コードピン孔２ｄ内には、第１及び第２の２つのチェンジピン１０，１１が移動自在に挿入される。その他のコードピン孔２ｃ内には、コードピン１２が移動自在に挿入される。
【００１３】
保持ピン孔２ｂ内には、保持ピン１３が軸線方向に９移動自在に挿入される。保持ピン１３は、後方から保持ピン孔２ｂ内へ押し込まれた常時位置（図１）と、後方へ押し出された非常時位置（図２）との間を軸線方向に移動自在であり、常時位置において第１、第２のチェンジピン１０，１１を、相互の接触面がプラグ２の外周面に一致する元位置（図１，２）に保持し、非常時位置において第２のチェンジピン１０，１１が鍵孔２ａ内へ突出する突出位置（図３）に移動するのを許容する。
【００１４】
図１に示すように、常用キー４は、鍵孔２ａへの挿入時に先端が保持ピン１３に達しない長さである。常用キー４は、コードピン１２とドライバピン８との接触面をプラグ２の外周面に一致させるピン操作部４ａを具備する。したがって、この状態で、プラグ２を回転させて施解錠操作が可能である。
【００１５】
図２に示すように、非常用キー５は、鍵孔２ａへの挿入時に、常時位置にある保持ピンを非常時位置（後方）へ押し出す長さを有する。非常用キー５は、ピン操作部５ａとピン保持部５ｂとを具備する。
【００１６】
非常用キー５が鍵孔２ａへ挿入される時、保持ピン１３が非常用位置へ押し出されるが、連続してピン保持部５ｂが第２のチェンジピン１１の下へ進出するので、第１、第２のチェンジピンは、継続して元位置に保持される。ピン操作部５ａは、非常用キー５を鍵孔２ａへ挿入した時に、ピン操作部４ａと同様に、コードピン１２とドライバピン８との接触面をプラグ２の外周面に一致させる。したがって、この状態で、プラグ２を回転させて施解錠操作が可能である。非常用キー５を用いて扉を開き、商品の取り出しなどの所定の作業が完了した後、閉扉施錠してキー５抜き取ると、図３に示すように、ピン保持部５ｂが第２のチェンジピン１１の下から退出するため、第２のチェンジピン１１が鍵孔２ａへ突出する。したがって、この後は、非常用キー５を用いて解錠することができなくなる。しかし、常用キー４の挿入には、チェンジピン１１の存在が障害とならないので、常用キー４を用いた施解錠操作は、依然として可能である。
【００１７】
図４，５に示すように、復帰用キー６は、復帰操作部６ａを有するが、コードピン１２に対応するピン操作部を有しない。すなわち、復帰用キー６は、他の非常対応錠前ユニットにも共通の仕様であって、共通に鍵孔２ａへ挿入することができるが、解錠操作は不可能である。非常用キー５にて解錠後に、復帰用キー６が鍵孔２ａ内へ挿入されると、復帰操作部６ａが、突出位置にある第２のチェンジピン１１を押して元位置へ復帰させる。
【００１８】
図５に示すように、復帰用キー６が鍵孔２ａに挿入された状態において、リセットピン７が、保持ピン孔２ｂへ挿入されると、保持ピン１３が前方へ押し込まれ、復帰用キー６が鍵孔２ａから前方へ押し出される。この後、保持ピン１３が復帰用キー６に代わってチェンジピン１１を元位置に保持するから、錠前ユニット３は、図１に示す常用状態に復帰する。リセットピン７も他の非常対応錠前ユニットに共通の仕様である。したがって、復帰用キー６とリセットピン７を用いて他の自動販売機の錠前ユニットのリセット操作を行うことができる。
【００１９】
例えば、自動販売機の設置場所付近に常駐する人に非常用キー５を預けて管理を委託する。常用キー４、復帰用キー６、リセットピン７はオペレータが保管する。災害時等の非常時には、委託管理者が非常用キー５を使用して自動販売機を解錠し、商品の取り出し等を行い、再施錠することができる。当該非常用キー５を用いて施解錠できるのは、特定の自動販売機の錠前のみであり、また解錠操作は１回限り可能である。その後、オペレータによる常用キー４を用いた施解錠操作は、支障なく行うことができる。オペレータは、必要に応じて、復帰用キー６とリセットピン７とを用いて錠前ユニットをリセットすることができる。
【符号の説明】
【００２０】
１    シリンダケース
１ａ  ドライバピン孔
２    プラグ
２ａ  鍵孔
２ｂ  保持ピン孔
２ｃ  コードピン孔
２ｄ  後端コードピン孔
３    錠前ユニット
４    常用キー
４ａ  ピン操作部
５    非常用キー
５ａ  ピン操作部
５ｂ  ピン保持部
６    復帰用キー
７    リセットピン
８    ドライバピン
９    ばね
１０  第１のチェンジピン
１１  第２のチェンジピン
１２  コードピン
１３  保持ピン
【図１】
0005395147.tif 000002
【図２】
0005395147.tif 000003
【図３】
0005395147.tif 000004
【図４】
0005395147.tif 000005
【図５】
0005395147.tif 000006